【手続補正書】
【提出日】平成15年11月27日(2003.11.27)
【手続補正１】
【補正対象書類名】明細書
【補正対象項目名】発明の名称
【補正方法】変更
【補正の内容】
【発明の名称】現像装置、プロセスカートリッジ、電子写真画像形成装置、及び、攪拌支持部材
【手続補正２】
【補正対象書類名】明細書
【補正対象項目名】特許請求の範囲
【補正方法】変更
【補正の内容】
【特許請求の範囲】
【請求項１】
電子写真画像形成装置に用いられる現像装置において、
電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌するための攪拌部材と、
前記攪拌部材を支持するための攪拌支持部材と、
前記攪拌支持部材の長手方向の一端を前記現像容器に支持して前記攪拌支持部材を駆動させるための駆動伝達部材と、
前記攪拌支持部材の長手方向の他端を前記現像容器の有する軸受け部に支持させるための金属製の支持部材と、
を有する、
ことを特徴とする現像装置。
【請求項２】
電子写真画像形成装置に用いられる現像装置において、
電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌する攪拌部と、前記攪拌部を支持する攪拌支持部とを一体に備えて、前記現像容器内に配置される攪拌部材と、
前記攪拌部材の攪拌支持部の長手方向の一端を前記現像容器に支持して前記攪拌部材を駆動させるための駆動伝達部材と、
前記攪拌部材の攪拌支持部の長手方向の他端を前記現像容器の有する軸受け部に支持させるための金属製の支持部材と、
を有する、
ことを特徴とする現像装置。
【請求項３】
電子写真画像形成装置に用いられる現像装置において、
電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌するための攪拌部材と、
前記攪拌部材を支持し、長手方向の一端を前記現像容器の有する軸受け部に支持させるための攪拌支持部材と、
前記攪拌支持部材の長手方向の他端を前記現像容器に支持して前記攪拌支持部材を駆動させるための駆動伝達部材と、
前記現像容器の有する軸受け部に固定されて前記攪拌支持部材の長手方向の一端を支持するための金属製の軸受け部材と、
を有する、
ことを特徴とする現像装置。
【請求項４】
電子写真画像形成装置に用いられる現像装置において、
電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌する攪拌部と、前記攪拌部を支持する攪拌支持部と、前記攪拌支持部の長手方向の一端で前記現像容器の有する軸受け部に支持される支持部とを一体に備えて、前記現像容器内に配置される攪拌部材と、
前記攪拌部材の攪拌支持部の長手方向の他端を前記現像容器に支持して前記攪拌部材を駆動させるための駆動伝達部材と、
前記現像容器の軸受け部に固定されて前記攪拌部材の支持部を支持するための金属製の軸受け部材と、
を有する、
ことを特徴とする現像装置。
【請求項５】
電子写真画像形成装置本体に着脱可能なプロセスカートリッジにおいて、
電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌するための攪拌部材と、
前記攪拌部材を支持するための攪拌支持部材と、
前記攪拌支持部材の長手方向の一端を前記現像容器に支持して前記攪拌支持部材を駆動させるための駆動伝達部材と、
前記攪拌支持部材の長手方向の他端を前記現像容器の有する軸受け部に支持させるための金属製の支持部材と、
を有する、
ことを特徴とするプロセスカートリッジ。
【請求項６】
電子写真画像形成装置本体に着脱可能なプロセスカートリッジにおいて、
電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌する攪拌部と、前記攪拌部を支持する攪拌支持部とを一体に備えて、前記現像容器内に配置される攪拌部材と、
前記攪拌部材の攪拌支持部の長手方向の一端を前記現像容器に支持して前記攪拌部材を駆動させるための駆動伝達部材と、
前記攪拌部材の攪拌支持部の長手方向の他端を前記現像容器の有する軸受け部に支持させるための金属製の支持部材と、
を有する、
ことを特徴とするプロセスカートリッジ。
【請求項７】
電子写真画像形成装置本体に着脱可能なプロセスカートリッジにおいて、
電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌するための攪拌部材と、
前記攪拌部材を支持し、長手方向の一端を前記現像容器の有する軸受け部に支持させるための攪拌支持部材と、
前記攪拌支持部材の長手方向の他端を前記現像容器に支持して前記攪拌支持部材を駆動させるための駆動伝達部材と、
前記現像容器の有する軸受け部に固定されて前記攪拌支持部材の長手方向の一端を支持するための金属製の軸受け部材と、
を有する、
ことを特徴とするプロセスカートリッジ。
【請求項８】
電子写真画像形成装置本体に着脱可能なプロセスカートリッジにおいて、
電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌する攪拌部と、前記攪拌部を支持する攪拌支持部と、前記攪拌支持部の長手方向の一端で前記現像容器の有する軸受け部に支持される支持部とを一体に備えて、前記現像容器内に配置される攪拌部材と、
前記攪拌部材の攪拌支持部の長手方向の他端を前記現像容器に支持して前記攪拌部材を駆動させるための駆動伝達部材と、
前記現像容器の有する軸受け部に固定されて前記攪拌部材の支持部を支持するための金属製の軸受け部材と、
を有する、
ことを特徴とするプロセスカートリッジ。
【請求項９】
プロセスカートリッジを着脱可能であって、記録媒体に画像を形成するための電子写真画像形成装置において、
ａ．電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌するための攪拌部材と、
前記攪拌部材を支持するための攪拌支持部材と、
前記攪拌支持部材の長手方向の一端を前記現像容器に支持して前記攪拌支持部材を駆動させるための駆動伝達部材と、
前記攪拌支持部材の長手方向の他端を前記現像容器の有する軸受け部に支持させるための金属製の支持部材と、を有するプロセスカートリッジを、取り外し可能に装着するための装着手段と、
ｂ．前記記録媒体を搬送するための搬送手段と、
を有する、
ことを特徴とする電子写真画像形成装置。
【請求項１０】
プロセスカートリッジを着脱可能であって、記録媒体に画像を形成するための電子写真画像形成装置において、
ａ．電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌する攪拌部と、前記攪拌部を支持する攪拌支持部とを一体に備えて、前記現像容器内に配置される攪拌部材と、
前記攪拌部材の攪拌支持部の長手方向の一端を前記現像容器に支持して前記攪拌部材を駆動させるための駆動伝達部材と、
前記攪拌部材の攪拌支持部の長手方向の他端を前記現像容器の有する軸受け部に支持させるための金属製の支持部材と、を有するプロセスカートリッジを、取り外し可能に装着するための装着手段と、
ｂ．前記記録媒体を搬送するための搬送手段と、
を有する、
ことを特徴とする電子写真画像形成装置。
【請求項１１】
プロセスカートリッジを着脱可能であって、記録媒体に画像を形成するための電子写真画像形成装置において、
ａ．電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌するための攪拌部材と、
前記攪拌部材を支持し、長手方向の一端を前記現像容器の有する軸受け部に支持させるための攪拌支持部材と、
前記攪拌支持部材の長手方向の他端を前記現像容器に支持して前記攪拌支持部材を駆動させるための駆動伝達部材と、
前記現像容器の有する軸受け部に固定されて前記攪拌支持部材の長手方向の一端を支持するための金属製の軸受け部材と、を有するプロセスカートリッジを、取り外し可能に装着するための装着手段と、
ｂ．前記記録媒体を搬送するための搬送手段と、
を有する、
ことを特徴とする電子写真画像形成装置。
【請求項１２】
プロセスカートリッジを着脱可能であって、記録媒体に画像を形成するための電子写真画像形成装置において、
ａ．電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌する攪拌部と、前記攪拌部を支持する攪拌支持部と、前記攪拌支持部の長手方向の一端で前記現像容器の有する軸受け部に支持される支持部とを一体に備えて、前記現像容器内に配置される攪拌部材と、
前記攪拌部材の攪拌支持部の長手方向の他端を前記現像容器に支持して前記攪拌部材を駆動させるための駆動伝達部材と、
前記現像容器の有する軸受け部に固定されて前記攪拌部材の支持部を支持するための金属製の軸受け部材と、を有するプロセスカートリッジを、取り外し可能に装着するための装着手段と、
ｂ．前記記録媒体を搬送するための搬送手段と、
を有する、
ことを特徴とする電子写真画像形成装置。
【請求項１３】
電子写真感光体に形成された静電潜像の現像に用いる現像剤を収納するための現像容器内で、前記現像剤を攪拌するための攪拌部材を支持する攪拌支持部材において、
前記攪拌支持部材の長手方向の一端には前記現像容器外から駆動を伝達される嵌合部を有し、他端には前記現像容器の有する軸受け部に支持される金属製の支持部材を有することを特徴とする攪拌支持部材。
【手続補正３】
【補正対象書類名】明細書
【補正対象項目名】０００１
【補正方法】変更
【補正の内容】
【０００１】
【発明の属する技術分野】
本発明は、現像装置、プロセスカートリッジ、電子写真画像形成装置、及び、攪拌支持部材に関するものである。


【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
【発明が解決しようとする課題】
本発明に係る現像装置、プロセスカートリッジ、電子写真画像形成装置、及び、攪拌支持部材は下記の構成を特徴とする。
（１）電子写真画像形成装置に用いられる現像装置において、
電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌するための攪拌部材と、
前記攪拌部材を支持するための攪拌支持部材と、
前記攪拌支持部材の長手方向の一端を前記現像容器に支持して前記攪拌支持部材を駆動させるための駆動伝達部材と、
前記攪拌支持部材の長手方向の他端を前記現像容器の有する軸受け部に支持させるための金属製の支持部材と、
を有する、
ことを特徴とする現像装置。
（２）電子写真画像形成装置に用いられる現像装置において、
電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌する攪拌部と、前記攪拌部を支持する攪拌支持部とを一体に備えて、前記現像容器内に配置される攪拌部材と、
前記攪拌部材の攪拌支持部の長手方向の一端を前記現像容器に支持して前記攪拌部材を駆動させるための駆動伝達部材と、
前記攪拌部材の攪拌支持部の長手方向の他端を前記現像容器の有する軸受け部に支持させるための金属製の支持部材と、
を有する、
ことを特徴とする現像装置。
（３）電子写真画像形成装置に用いられる現像装置において、
電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌するための攪拌部材と、
前記攪拌部材を支持し、長手方向の一端を前記現像容器の有する軸受け部に支持させるための攪拌支持部材と、
前記攪拌支持部材の長手方向の他端を前記現像容器に支持して前記攪拌支持部材を駆動させるための駆動伝達部材と、
前記現像容器の有する軸受け部に固定されて前記攪拌支持部材の長手方向の一端を支持するための金属製の軸受け部材と、
を有する、
ことを特徴とする現像装置。
（４）電子写真画像形成装置に用いられる現像装置において、
電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌する攪拌部と、前記攪拌部を支持する攪拌支持部と、前記攪拌支持部の長手方向の一端で前記現像容器の有する軸受け部に支持される支持部とを一体に備えて、前記現像容器内に配置される攪拌部材と、
前記攪拌部材の攪拌支持部の長手方向の他端を前記現像容器に支持して前記攪拌部材を駆動させるための駆動伝達部材と、
前記現像容器の軸受け部に固定されて前記攪拌部材の支持部を支持するための金属製の軸受け部材と、
を有する、
ことを特徴とする現像装置。
（５）電子写真画像形成装置本体に着脱可能なプロセスカートリッジにおいて、
電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌するための攪拌部材と、
前記攪拌部材を支持するための攪拌支持部材と、
前記攪拌支持部材の長手方向の一端を前記現像容器に支持して前記攪拌支持部材を駆動させるための駆動伝達部材と、
前記攪拌支持部材の長手方向の他端を前記現像容器の有する軸受け部に支持させるための金属製の支持部材と、
を有する、
ことを特徴とするプロセスカートリッジ。
（６）電子写真画像形成装置本体に着脱可能なプロセスカートリッジにおいて、
電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌する攪拌部と、前記攪拌部を支持する攪拌支持部とを一体に備えて、前記現像容器内に配置される攪拌部材と、
前記攪拌部材の攪拌支持部の長手方向の一端を前記現像容器に支持して前記攪拌部材を駆動させるための駆動伝達部材と、
前記攪拌部材の攪拌支持部の長手方向の他端を前記現像容器の有する軸受け部に支持させるための金属製の支持部材と、
を有する、
ことを特徴とするプロセスカートリッジ。
（７）電子写真画像形成装置本体に着脱可能なプロセスカートリッジにおいて、
電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌するための攪拌部材と、
前記攪拌部材を支持し、長手方向の一端を前記現像容器の有する軸受け部に支持させるための攪拌支持部材と、
前記攪拌支持部材の長手方向の他端を前記現像容器に支持して前記攪拌支持部材を駆動させるための駆動伝達部材と、
前記現像容器の有する軸受け部に固定されて前記攪拌支持部材の長手方向の一端を支持するための金属製の軸受け部材と、
を有する、
ことを特徴とするプロセスカートリッジ。
（８）電子写真画像形成装置本体に着脱可能なプロセスカートリッジにおいて、
電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌する攪拌部と、前記攪拌部を支持する攪拌支持部と、前記攪拌支持部の長手方向の一端で前記現像容器の有する軸受け部に支持される支持部とを一体に備えて、前記現像容器内に配置される攪拌部材と、
前記攪拌部材の攪拌支持部の長手方向の他端を前記現像容器に支持して前記攪拌部材を駆動させるための駆動伝達部材と、
前記現像容器の有する軸受け部に固定されて前記攪拌部材の支持部を支持するための金属製の軸受け部材と、
を有する、
ことを特徴とするプロセスカートリッジ。
（９）プロセスカートリッジを着脱可能であって、記録媒体に画像を形成するための電子写真画像形成装置において、
ａ．電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌するための攪拌部材と、
前記攪拌部材を支持するための攪拌支持部材と、
前記攪拌支持部材の長手方向の一端を前記現像容器に支持して前記攪拌支持部材を駆動させるための駆動伝達部材と、
前記攪拌支持部材の長手方向の他端を前記現像容器の有する軸受け部に支持させるための金属製の支持部材と、を有するプロセスカートリッジを、取り外し可能に装着するための装着手段と、
ｂ．前記記録媒体を搬送するための搬送手段と、
を有する、
ことを特徴とする電子写真画像形成装置。
（１０）プロセスカートリッジを着脱可能であって、記録媒体に画像を形成するための電子写真画像形成装置において、
ａ．電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌する攪拌部と、前記攪拌部を支持する攪拌支持部とを一体に備えて、前記現像容器内に配置される攪拌部材と、
前記攪拌部材の攪拌支持部の長手方向の一端を前記現像容器に支持して前記攪拌部材を駆動させるための駆動伝達部材と、
前記攪拌部材の攪拌支持部の長手方向の他端を前記現像容器の有する軸受け部に支持させるための金属製の支持部材と、を有するプロセスカートリッジを、取り外し可能に装着するための装着手段と、
ｂ．前記記録媒体を搬送するための搬送手段と、
を有する、
ことを特徴とする電子写真画像形成装置。
（１１）プロセスカートリッジを着脱可能であって、記録媒体に画像を形成するための電子写真画像形成装置において、
ａ．電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌するための攪拌部材と、
前記攪拌部材を支持し、長手方向の一端を前記現像容器の有する軸受け部に支持させるための攪拌支持部材と、
前記攪拌支持部材の長手方向の他端を前記現像容器に支持して前記攪拌支持部材を駆動させるための駆動伝達部材と、
前記現像容器の有する軸受け部に固定されて前記攪拌支持部材の長手方向の一端を支持するための金属製の軸受け部材と、を有するプロセスカートリッジを、取り外し可能に装着するための装着手段と、
ｂ．前記記録媒体を搬送するための搬送手段と、
を有する、
ことを特徴とする電子写真画像形成装置。
（１２）プロセスカートリッジを着脱可能であって、記録媒体に画像を形成するための電子写真画像形成装置において、
ａ．電子写真感光体と、
前記電子写真感光体に形成された静電潜像の現像に用いる現像剤を収納するための現像容器と、
前記電子写真感光体に形成された静電潜像を現像剤により現像するための現像手段と、
前記現像容器内に収納される現像剤を攪拌する攪拌部と、前記攪拌部を支持する攪拌支持部と、前記攪拌支持部の長手方向の一端で前記現像容器の有する軸受け部に支持される支持部とを一体に備えて、前記現像容器内に配置される攪拌部材と、
前記攪拌部材の攪拌支持部の長手方向の他端を前記現像容器に支持して前記攪拌部材を駆動させるための駆動伝達部材と、
前記現像容器の有する軸受け部に固定されて前記攪拌部材の支持部を支持するための金属製の軸受け部材と、を有するプロセスカートリッジを、取り外し可能に装着するための装着手段と、
ｂ．前記記録媒体を搬送するための搬送手段と、
を有する、
ことを特徴とする電子写真画像形成装置。
（１３）電子写真感光体に形成された静電潜像の現像に用いる現像剤を収納するための現像容器内で、前記現像剤を攪拌するための攪拌部材を支持する攪拌支持部材において、
前記攪拌支持部材の長手方向の一端には前記現像容器外から駆動を伝達される嵌合部を有し、他端には前記現像容器の有する軸受け部に支持される金属製の支持部材を有することを特徴とする攪拌支持部材。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】０１４０
【補正方法】削除
【補正の内容】